(57)【要約】【課題】躯体の室外側面に設けられる断熱材の断熱性に支障を来すことなく枠体を躯体に取り付けること。【解決手段】取付枠４の開口部４ａに枠体１０を介して取り付けられる建具であって、枠体１０を構成する枠材１１，１２，１３は、取付枠４に固定される固定用フィン部７０と、固定用フィン部７０よりも室外側に配置した防水用フィン部７１とを有し、防水用フィン部７１の室外側面７１ａと、取付枠４の室外側に設けられた断熱材８の室外側面８ａとにわたって防水テープ８０及び防水シート８１が設けられている。【選択図】図１０
2019002180.tif 000002
【特許請求の範囲】
【請求項１】
建物の躯体に設けた開口部に枠体を介して取り付けられる建具であって、
前記枠体を構成する枠材は、前記躯体に固定される第１のフィン部と、前記第１のフィン部よりも室外側に配置した第２のフィン部とを有し、
前記第２のフィン部の室外側面と、前記躯体の室外側に設けられた断熱材の室外側面とにわたって防水部材が設けられていることを特徴とする建具。
【請求項２】
前記枠材は、障子を支持する窓枠部と、前記第１のフィン部及び前記第２のフィン部が設けられたモール部とを有したものであり、前記モール部を介して前記躯体に取り付けられ、かつ前記窓枠部と前記モール部とが互いに連結されていることを特徴とする請求項１に記載の建具。
【請求項３】
前記第１のフィン部は、前記第２のフィン部よりも外周側に突出していることを特徴とする請求項１に記載の建具。
【請求項４】
前記モール部は、見込み方向に沿って延在し、前記断熱材の内周面を覆う基板部を備え、前記基板部の外周面に前記第１のフィン部及び前記第２のフィン部を有したものであり、
前記枠体の少なくとも左右に配置される枠材には、外付け部品を取り付けるための取付部が設けられていることを特徴とする請求項２に記載の建具。
【発明の詳細な説明】
【技術分野】
【０００１】
本発明は、建具に関するもので、特に、躯体の開口部に取り付けられた後に、躯体の外表面に断熱材が設けられる建具に関するものである。
【背景技術】
【０００２】
躯体に対して枠体を取り付ける場合には、枠体を構成する枠材に固定用のフィン部を設け、このフィン部を躯体の室外側面に当接させた状態でフィン部を介して躯体にネジを螺合するようにしている。躯体の室外側面に設けられる断熱材は、枠体が取り付けられた後、フィン部の室外側面を覆った状態となる（例えば、特許文献１参照）。
【先行技術文献】
【特許文献】
【０００３】
【特許文献１】実公平７−１６８７６号公報
【発明の概要】
【発明が解決しようとする課題】
【０００４】
ところで、外壁材と躯体との間に確保された通気層には、雨水等の水が浸入し得る。上述の建具においては、外壁材と躯体との間を通過する雨水等の水が直接断熱材に触れることになるため、断熱材の劣化が促進され、建物の断熱性に支障を来すおそれがある。
【０００５】
本発明は、上記実情に鑑みて、躯体の室外側面に設けられる断熱材の断熱性に支障を来すことなく枠体を躯体に取り付けることのできる建具を提供することを目的とする。
【課題を解決するための手段】
【０００６】
上記目的を達成するため、本発明に係る建具は、建物の躯体に設けた開口部に枠体を介して取り付けられる建具であって、前記枠体を構成する枠材は、前記躯体に固定される第１のフィン部と、前記第１のフィン部よりも室外側に配置した第２のフィン部とを有し、前記第２のフィン部の室外側面と、前記躯体の室外側に設けられた断熱材の室外側面とにわたって防水部材が設けられていることを特徴とする。
【０００７】
この発明によれば、第２のフィン部と断熱材とにわたって防水部材が設けられるため、外壁材と断熱材との間の通気層に雨水等の水が浸入した場合にも断熱材が水濡れするおそれがない。
【０００８】
また本発明は、上述した建具において、前記枠材は、障子を支持する窓枠部と、前記第１のフィン部及び前記第２のフィン部が設けられたモール部とを有したものであり、前記モール部を介して前記躯体に取り付けられ、かつ前記窓枠部と前記モール部とが互いに連結されていることを特徴とする。
【０００９】
この発明によれば、モール部と窓枠部との連結状態を解除することにより、モール部が躯体に残された状態で躯体から窓枠部を取り外すことが可能となる。これにより、モール部の第２のフィン部が外壁材によって覆われている状況下であっても、外壁材を取り壊すことなく窓枠部を交換することができる。
【００１０】
また本発明は、上述した建具において、前記第１のフィン部は、前記第２のフィン部よりも外周側に突出していることを特徴とする。
【００１１】
この発明によれば、室外側から見た場合に、手前側となる第２のフィン部に比べて第１のフィン部が突出しているため、ネジや釘等の固定部材によって第１のフィン部を躯体に取り付ける作業を容易に行うことが可能となる。
【００１２】
また本発明は、上述した建具において、前記モール部は、見込み方向に沿って延在し、前記断熱材の内周面を覆う基板部を備え、前記基板部の外周面に前記第１のフィン部及び前記第２のフィン部を有したものであり、前記枠体の少なくとも左右に配置される枠材には、外付け部品を取り付けるための取付部が設けられていることを特徴とする。
【００１３】
この発明によれば、モール部に設けた取付部を介して外付け部品を躯体に保持させることが可能となるため、外壁材に直接ネジや釘等の固定部材を打ち付ける必要がなくなり、外壁材を通じた漏水を招来するおそれがない。
【発明の効果】
【００１４】
本発明によれば、断熱材とその室外側面に配置される第２のフィン部との間が防水部材によって覆われるため、外壁材と断熱材との間の通気層に雨水等の水が浸入した場合にも断熱材が水濡れするおそれがない。躯体と枠体との間は、第１のフィン部によって固定されている。従って、断熱材の断熱性に支障を来すことなく、枠体を躯体に取り付けることが可能となる。
【図面の簡単な説明】
【００１５】
【図１】本発明の実施の形態である建具の縦断面図である。
【図２】図１に示した建具の横断面図である。
【図３】図１に示した建具に適用する上枠を示したもので、（ａ）は窓枠部とモール部とを分解した状態の縦断面図、（ｂ）は窓枠部とモール部とを一体化した状態の縦断面図である。
【図４】図１に示した建具に適用する下枠を示したもので、（ａ）は窓枠部とモール部とを分解した状態の縦断面図、（ｂ）は窓枠部とモール部とを一体化した状態の縦断面図である。
【図５】図１に示した建具に適用する縦枠を示したもので、（ａ）は窓枠部とモール部とを分解した状態の縦断面図、（ｂ）は窓枠部とモール部とを一体化した状態の縦断面図である。
【図６】図１に示した建具のモール部を躯体に取り付ける状態の要部横断面図である。
【図７】図６に示す状態から躯体の室外側面に断熱材を配設した状態の要部横断面図である。
【図８】図７に示す状態から防水部材を配設した状態の要部横断面図である。
【図９】図８に示す状態から外壁材を設けた状態の要部横断面図である。
【図１０】図９に示す状態から躯体に窓枠部を取り付ける状態の要部分解横断面図である。
【図１１】図１に示した建具のモール部を躯体に取り付けた後に、窓枠部を取り付ける状態の分解縦断面図である。
【発明を実施するための形態】
【００１６】
以下、添付図面を参照しながら本発明に係る建具の好適な実施の形態について詳細に説明する。図１及び図２は、本発明の実施の形態である建具を示したものである。ここで例示する建具は、枠体１０に対して障子２０を面外方向に移動させることにより、障子２０を室外側に向けて開放するように構成した縦すべり出し窓と称されるものである。
【００１７】
建具が設置される建物には、２つの柱（躯体）１の間にまぐさ（躯体）２及び窓台（躯体）３を設けることによって矩形状の取付枠（躯体）４が構成してある。建具を取り付ける以前の状態において取付枠４の室外側には見付け下張り材５が設けてあり、取付枠４の室内側には内壁材６が設けてある。まぐさ２及び窓台３においては、見付け下張り材５及び内壁材６の端面がまぐさ２の内周面２ａ及び窓台３の内周面３ａと一致するように取り付けてある。柱１においては、柱１の内周面１ａ及び見付け下張り材５の端面を覆うように見込み下張り材７が設けてあり、内壁材６の端面が見込み下張り材７の内周面に一致するように取り付けてある。建具を設置した後の建物には、取付枠４の室外側が見付け下張り材５を介して断熱材８によって覆われ、さらに断熱材８との間に通気層Ｖを確保した状態で外壁材９が設けられることになる。
【００１８】
建具の障子２０は、矩形状を成す面材２１の四周に上框２２、下框２３及び左右の縦框２４を装着することによって構成したものである。面材２１は、ガラス等のパネルを複数積層することにより構成した複層パネルである。障子２０を構成するそれぞれの框材２２，２３，２４は、アルミニウム合金等の金属、もしくは樹脂によって成形した押し出し形材である。本実施の形態では、上框２２、下框２３及び左右の縦框２４として、互いに同一の断面形状を有するものを適用している。
【００１９】
枠体１０は、上枠１１、下枠１２及び左右の縦枠１３を四周枠組みすることによって構成したものである。枠体１０を構成するそれぞれの枠材１１，１２，１３は、アルミニウム合金等の金属、もしくは樹脂によって成形した押し出し形材であり、図３〜図５に示すように、窓枠部１１Ａ，１２Ａ，１３Ａ及びモール部１１Ｂ，１２Ｂ，１３Ｂを有して構成してある。なお、以下においては、取付枠４に取り付けた状態の姿勢で個々の構成について説明を行うこととする。また、本実施の形態では便宜上、見込み方向及び見付け方向という用語を用いる。見込み方向とは、図中の矢印Ａで示すように、建具の奥行きに沿った方向である。見込み方向に沿った平面については、見込み面と称する場合がある。見付け方向とは、上枠１１や下枠１２のように左右に沿った部材の場合、見込み方向に直交した上下に沿う方向であり、縦枠１３のように上下に沿った部材の場合、見込み方向に直交した左右に沿う方向である。見付け方向に沿った平面については、見付け面と称する場合がある。
【００２０】
窓枠部１１Ａ，１２Ａ，１３Ａは、上述した障子２０の周囲に設けられ、障子２０を開閉可能に支持する部分である。図からも明らかなように、本実施の形態では、上枠１１の窓枠部１１Ａ、下枠１２の窓枠部１２Ａ及び左右の縦枠１３の窓枠部１３Ａが互いに共通の構成を有するように構成してある。それぞれの窓枠部１１Ａ，１２Ａ，１３Ａは、窓枠基部３０、見込みヒレ部３１、固定ヒレ部３２、当接ヒレ部３３及び連結ヒレ部３４を有している。窓枠基部３０は、断面が略矩形の筒状を成す部分である。見込みヒレ部３１は、窓枠基部３０の外周側、かつ室外側の隅部から室外に向けて延在した平板状部分であり、窓枠基部３０の外周側に位置する部分と同一の平面となるように構成してある。固定ヒレ部３２は、窓枠基部３０の外周側、かつ室内側の隅部から室内に設けて延在した平板状部分である。見込みヒレ部３１は、窓枠基部３０の見込み方向に沿った寸法（以下、見込み寸法という）とほぼ等しい延在長さを有する一方、固定ヒレ部３２は、窓枠基部３０の見込み寸法に対して１／４程度の長さに形成してある。当接ヒレ部３３は、窓枠基部３０の内周側、かつ室内側の隅部から内周側に向けて延在した部分である。当接ヒレ部３３の延在縁部において室外に臨む見付け面には、タイト材３５を装着するための装着溝３６が形成してある。連結ヒレ部３４は、見込みヒレ部３１の外周側となる見込み面から外周側に向けて延在した平板状部分であり、見込みヒレ部３１の延在縁部よりもわずかに室内側となる部位に設けてある。連結ヒレ部３４の延在縁部には、室内側に向けて突出する突条３４ａが設けてある。
【００２１】
モール部１１Ｂ，１２Ｂ，１３Ｂは、それぞれの窓枠部１１Ａ，１２Ａ，１３Ａから室外側に延在されるもので、上枠１１、下枠１２及び縦枠１３で互いに異なる形状に構成してある。
【００２２】
上枠１１のモール部１１Ｂは、図３に示すように、上枠基板部４０、上枠連結部４１及び上枠取付ヒレ部４２を有している。上枠基板部４０は、窓枠部１１Ａとほぼ同等の見込み寸法を有した板状を成すものである。より具体的に説明すると、上枠基板部４０は、第１基板要素４０ａ、第２基板要素４０ｂ、第３基板要素４０ｃ及び第４基板要素４０ｄを有している。第１基板要素４０ａは、室内側において見込み方向に延在したもので、見付け下張り材５の板厚よりも大きな見込み寸法を有するように構成してある。第２基板要素４０ｂは、第１基板要素４０ａの室外側縁部から室外に向けて漸次内周側に傾斜延在したものである。第３基板要素４０ｃは、第２基板要素４０ｂの室外側縁部から見込み方向に沿ったもので、断熱材８の室外側面８ａに対応する部位まで延在している。第４基板要素４０ｄは、第３基板要素４０ｃの室外側縁部から室外に向けて漸次内周側に傾斜延在したもので、外壁材９の室外側面９ａよりも突出するだけの寸法に構成してある。
【００２３】
上枠連結部４１は、上枠基板部４０の内周側となる見込み面から内周側に突出した断面が略矩形の中空部であり、第２基板要素４０ｂと第３基板要素４０ｃとの境界部から第４基板要素４０ｄの中間部までの間に構成してある。第３基板要素４０ｃからの上枠連結部４１の突出寸法は、見込みヒレ部３１からの連結ヒレ部３４の突出寸法とほぼ同じである。この上枠連結部４１には、一対の上枠支持ヒレ部４１ａ及び２つの上枠タイト材装着部４１ｂ，４１ｃが設けてある。上枠支持ヒレ部４１ａは、上枠連結部４１の室内に臨む見付け面から室内側に向けて突出したものである。上枠タイト材装着部４１ｂ，４１ｃは、それぞれタイト材４３，４４が装着される溝状部分であり、上枠連結部４１の室内に臨む見付け面及び内周側の見込み面に設けてある。上枠連結部４１の室内に臨む見付け面に設けた上枠タイト材装着部４１ｂは、上枠支持ヒレ部４１ａよりも内周側に位置している。上枠取付ヒレ部４２は、第４基板要素４０ｄの延在縁部から内周側に向けて延在したもので、上枠連結部４１の先端面との間に上枠取付溝４２ａを構成している。
【００２４】
下枠１２のモール部１２Ｂは、図４に示すように、下枠基板部５０、下枠連結部５１、下枠係合ヒレ部５２を有している。下枠基板部５０は、窓枠部１２Ａとほぼ同等の見込み寸法を有した平板状を成すものである。下枠連結部５１は、下枠基板部５０の内周側となる見込み面から内周側に突出した断面が略台形の中空部であり、下枠基板部５０の中心よりも室内側となる部分から室外側の端縁部までの間にわたって設けてある。この下枠連結部５１には、下枠支持ヒレ部５１ａ及び下枠タイト材装着部５１ｂが設けてある。下枠支持ヒレ部５１ａは、下枠連結部５１の内周側、かつ室内側の隅部から室内側に向けて突出したものである。下枠タイト材装着部５１ｂは、室内側に向けてタイト材５３が装着される溝状部分であり、下枠支持ヒレ部５１ａから内周側に突出するように設けてある。下枠基板部５０からの下枠タイト材装着部５１ｂの突出寸法は、見込みヒレ部３１からの連結ヒレ部３４の突出寸法よりわずかに大きい。下枠係合ヒレ部５２は、下枠基板部５０の内周面において下枠連結部５１よりも室内側となる部位から内周側に向けて延在した後に屈曲し、内周側に向けて漸次室内側となるように傾斜延在したものである。この下枠係合ヒレ部５２の屈曲部には、室外側に向けて突出した係合突条５２ａが設けてある。下枠基板部５０からの下枠係合ヒレ部５２の突出寸法は、見込みヒレ部３１からの連結ヒレ部３４の突出寸法より小さく設定してある。
【００２５】
縦枠１３のモール部１３Ｂは、図５に示すように、縦枠基板部６０、縦枠連結部６１、縦枠取付部（取付部）６２を有している。縦枠基板部６０は、窓枠部１３Ａとほぼ同等の見込み寸法を有した平板状を成すものである。縦枠連結部６１は、縦枠基板部６０の内周側となる見込み面から内周側に突出した断面が略矩形の中空部であり、縦枠基板部６０の中心よりも室内側となる部分に設けてある。縦枠基板部６０からの縦枠連結部６１の突出寸法は、見込みヒレ部３１からの連結ヒレ部３４の突出寸法とほぼ同じである。この縦枠連結部６１には、一対の縦枠支持ヒレ部６１ａ及び２つの縦枠タイト材装着部６１ｂ，６１ｃが設けてある。縦枠支持ヒレ部６１ａは、縦枠連結部６１の室内に臨む見付け面から室内側に向けて突出したものである。縦枠タイト材装着部６１ｂ，６１ｃは、それぞれタイト材６３，６４が装着される溝状部分であり、縦枠連結部６１の室内に臨む見付け面及び内周側の見込み面に設けてある。縦枠連結部６１の室内に臨む見付け面に設けた縦枠タイト材装着部６１ｂは、縦枠支持ヒレ部６１ａよりも内周側に位置している。縦枠取付部６２は、一対の取付ヒレ部６２ａの間に溝状に構成したものである。取付ヒレ部６２ａは、縦枠基板部６０の内周側となる見込み面から内周側に向けて互いに平行となるように延在した後、互いに近接する向きにほぼ直角に屈曲している。
【００２６】
上述した上枠１１のモール部１１Ｂ、下枠１２のモール部１２Ｂ及び縦枠１３のモール部１３Ｂには、それぞれ固定用フィン部（第１のフィン部）７０及び防水用フィン部（第２のフィン部）７１が設けてある。固定用フィン部７０及び防水用フィン部７１は、それぞれの基板部４０，５０，６０において外周側となる見込み面から外周側に向けて延在した平板状部分である。固定用フィン部７０は、見付け下張り材５の室外側面５ａに対応する部位に設けてあり、防水用フィン部７１は、断熱材８の室外側面８ａに対応する部位に設けてある。図からも明らかなように、固定用フィン部７０は、それぞれの基板部４０，５０，６０からの外周側への突出寸法が防水用フィン部７１よりも大きく設定してある。
【００２７】
上記のように構成した上枠１１のモール部１１Ｂ及び縦枠１３のモール部１３Ｂと、窓枠部１１Ａ，１３Ａとは、図３及び図５に示すように、窓枠部１１Ａ，１３Ａの連結ヒレ部３４を介してそれぞれの連結部４１，６１にネジ７３を螺合することにより一体化することができ、上枠１１及び左右の縦枠１３を構成することになる。窓枠部１１Ａ，１３Ａの連結ヒレ部３４と、モール部１１Ｂ，１３Ｂの連結部４１，６１との間は、モール部１１Ｂ，１３Ｂのタイト材装着部４１ｂ，４１ｃ，６１ｂ，６１ｃに装着したタイト材４３，４４，６３，６４によって水密性が確保されることになる。
【００２８】
一方、下枠１２のモール部１２Ｂと窓枠部１２Ａとは、図４に示すように、窓枠部１２Ａの連結ヒレ部３４を、モール部１２Ｂの下枠連結部５１と下枠係合ヒレ部５２との間に挿入し、連結ヒレ部３４の突条３４ａをモール部１２Ｂの係合突条５２ａに係合させることにより一体化することができ、下枠１２を構成することになる。窓枠部１２Ａの連結ヒレ部３４と、モール部１２Ｂの下枠連結部５１との間は、モール部１２Ｂの下枠タイト材装着部５１ｂに装着したタイト材５３によって水密性が確保された状態にある。
【００２９】
以下、図６〜図１０を適宜参照しながら建物の取付枠４の開口部４ａに枠体１０を取り付ける手順について説明を行う。なお、上枠１１、下枠１２及び左右の縦枠１３をそれぞれまぐさ２、窓台３及び柱１に取り付ける手順は互いにほぼ共通である。従って、以下においては代表例として、一方の縦枠１３を柱１に取り付ける手順について説明することとする。
【００３０】
まず、図６に示すように、見付け下張り材５の室外側面５ａに固定用フィン部７０を当接させ、この状態から固定用フィン部７０を介して取付枠４にネジ７４を螺合すれば、モール部１３Ｂを柱１に取り付けることが可能となる。このとき、固定用フィン部７０は、縦枠基板部６０からの外周側への突出寸法が防水用フィン部７１よりも大きく設定してあるため、ネジ７４を螺合する作業を容易に行うことができる。この状態から固定用フィン部７０及び見付け下張り材５の室外側面５ａを覆うように断熱材８を配置する。断熱材８としては、固定用フィン部７０と防水用フィン部７１との相互間隔にほぼ等しい板厚を有したものを適用している。
【００３１】
断熱材８を配置した後においては、図７に示すように、防水用フィン部７１の室外側面７１ａから断熱材８の室外側面８ａの間にわたって防水テープ（防水部材）８０を貼り付け、さらに防水テープ８０を覆い隠すように、防水用フィン部７１の室外側面７１ａから断熱材８の室外側面８ａ全域にわたって防水シート（防水部材）８１を配設する。この状態においては、防水シート８１によって断熱材８の室外側面８ａが完全に覆われるとともに、防水テープ８０によって断熱材８と防水用フィン部７１との隙間が塞がれた状態となる。従って、断熱材８の室外側から水が付着したとしても、その水が断熱材８に浸入したり、断熱材８と防水用フィン部７１との隙間から取付枠４側に浸入したりするおそれがなくなる。
【００３２】
次いで、図８及び図９に示すように、断熱材８の適宜箇所に胴縁８２を設け、断熱材８の室外側面８ａとの間に通気層Ｖを確保した状態で外壁材９を配置する。外壁材９の端面とモール部１３Ｂの外周面との間にシーリング材８３を充填すれば、取付枠４に対するモール部１３Ｂの取り付けが完了する。図には明示していないが、上述したように、上枠１１のモール部１１Ｂ及び下枠１２のモール部１２Ｂについても同様の手順で取付枠４に取り付けられることになる。
【００３３】
この状態から、図１０及び図１１に示すように、モール部１１Ｂ，１２Ｂ，１３Ｂに対して窓枠部１１Ａ，１２Ａ，１３Ａを一体化させれば、取付枠４の開口部４ａに建具を取り付けることができる。より具体的には、図１０に示すように、見込み下張り材７と窓枠部１３Ａとの間にスペーサ部材９０を介在させた状態でモール部１３Ｂと窓枠部１３Ａとをそれぞれ一体化し、この状態から、図２に示すように、固定ヒレ部３２及びスペーサ部材９０を介して柱１にネジ７５を螺合させれば、左右の縦枠１３をそれぞれ取付枠４の開口部４ａに取り付けることができる。スペーサ部材９０としては、室内側に位置する部分と、室外側に位置する部分とで異なる材質のものを適用することが好ましい。すなわち、固定ヒレ部３２を介してネジ７５を螺合する室内側の部分には、木質材等のように比較的剛性を有したスペーサ部材９０ａを適用し、室外側となる部分については、断熱性の高い材質から成るスペーサ部材９０ｂを適用すれば、窓枠部１３Ａの取付枠４への取り付けを確実にすることができるとともに、スペーサ部材９０が室外と室内との間の熱橋となる事態を防止して断熱性の向上を図ることができる。
【００３４】
ネジ７５を螺合した固定ヒレ部３２については、その内周側の内周側額縁部材９１を配設することによってネジ７５の頭部が外部に露出する事態を防止することができる。スペーサ部材９０については、内周側額縁部材９１から内壁材６の室内に臨む表面までの間に見付け側額縁部材９２を配設することによって室内側に露出する事態を防止することができる。
【００３５】
一方、上枠１１及び下枠１２については、図１１に示すように、窓台３に直接下枠１２の窓枠部１２Ａを配置する一方、まぐさ２と窓枠部１１Ａとの間にスペーサ部材９０を介在させた状態でモール部１１Ｂ，１２Ｂと窓枠部１１Ａ，１２Ａとをそれぞれ一体化する。この状態から、図１に示すように、固定ヒレ部３２を介して窓台３にネジ７５を螺合するとともに、固定ヒレ部３２及びスペーサ部材９０を介してまぐさ２にネジ７５を螺合すれば、上枠１１及び下枠１２をそれぞれ取付枠４の開口部４ａに取り付けることができる。縦枠１３と同様、固定ヒレ部３２については、その内周側の見付け面に内周側額縁部材９１を配設することによってネジ７５の頭部が外部に露出する事態を防止することができる。上枠１１のスペーサ部材９０については、内周側額縁部材９１から内壁材６の室内に臨む表面までの間に見付け側額縁部材９２を配設することによって室内側に露出する事態を防止することができる。下枠１２については窓枠部１２Ａを直接窓台３に当接させているが、上枠１１と同様、内周側額縁部材９１から内壁材６の室内に臨む表面までの間に見付け側額縁部材９２を配設するようにしている。
【００３６】
さらに、この建具では、図１及び図２に示すように、縦枠取付部６２にそれぞれブラケット１０１を介してルーバユニット（外付け部品）１００が保持してある。ブラケット１０１は、取付ネジ１０２の頭部と、縦枠取付部６２に配置した連結プレート１０３との間に挟持された状態で縦枠取付部６２に取り付けてある。従って、縦枠取付部６２の長手方向においてブラケット１０１の取り付け位置を変更することにより、ルーバユニット１００の取り付け位置を調整することが可能となる。
【００３７】
上記のように構成した建具では、枠体１０を構成する枠材１１，１２，１３が、取付枠４との取り付けに必要となる固定用フィン部７０に加えて、断熱材８の室外側面８ａに当接する防水用フィン部７１を有し、かつ防水用フィン部７１の室外側面７１ａと断熱材８の室外側面８ａとにわたって防水テープ８０及び防水シート８１を設けるようにしている。従って、外壁材９との間の通気層Ｖに雨水等の水が浸入した場合にも、断熱材８が水濡れすることがなく、その断熱性に支障を来すおそれもない。さらに、モール部１１Ｂ，１２Ｂ，１３Ｂ及び窓枠部１１Ａ，１２Ａ，１３Ａによって枠材１１，１２，１３を構成し、断熱材８の内周面８ｂや外壁材９の内周面９ｂの見切り材としてモール部１１Ｂ，１２Ｂ，１３Ｂを配置するようにしているため、窓枠部１１Ａ，１２Ａ，１３Ａを室内側に配置して取付枠４との掛かり代を十分に確保することができる。しかも、取付枠４との取り付けについては、固定用フィン部７０と取付枠４との間が直接ネジ７４で螺合されるため、ふかし材等の調整部材を要しない。これらの結果、この建具によれば、取付枠４の開口部４ａに対して高い寸法精度で枠体１０を取り付けることが可能となる。
【００３８】
加えて、この建具では、図１０及び図１１に示すように、内周側額縁部材９１及び見付け側額縁部材９２を取り外した後、固定ヒレ部３２に螺合していたネジ７５を取り外し、さらにスペーサ部材９０を除去すれば、窓枠部１１Ａ，１３Ａとモール部１１Ｂ，１３Ｂとを連結しているネジ７３の頭部が室内側に露出した状態となる。従って、このネジ７３を取り外せば、モール部１１Ｂ，１３Ｂとの連結状態が解除された窓枠部１１Ａ，１３Ａを、窓枠部１２Ａとともに室内側に引き出すことができ、例えば、新たな窓枠部と交換することができる。このとき、モール部１１Ｂ，１２Ｂ，１３Ｂは、いずれも取付枠４に取り付けられた状態のままであるため、防水テープ８０や防水シート８１を剥がしたり、固定用フィン部７０に螺合したネジ７４を取り外すために外壁材９を除去する等の作業を行う必要がない。従って、建具を交換する際の作業を容易に、かつ短時間に行うことが可能となる。
【００３９】
なお、上述した実施の形態では、縦すべり出し窓を例示しているが、必ずしも縦すべり出し窓である必要はなく、その他の障子を備える建具にも適用することが可能である。また、縦枠１３のモール部１３Ｂに縦枠取付部６２を設け、縦枠取付部６２を介してルーバユニット１００を保持させるようにしているため、外壁材９にネジを螺合する必要がなく、躯体側への水の浸入を防止する点で有利となる。しかしながら、本発明では必ずしもモール部１３Ｂに取付部６２を設ける必要はない。なお、取付部に保持させる外付け部品としては、必ずしもルーバユニットに限らず、例えば面格子や日よけ等々のその他のものであってももちろん良い。
【００４０】
また、上述した実施の形態では、躯体に対する枠体１０の取り付け手順として、先にモール部を取り付けた後にモール部に窓枠部を連結して両者を一体化させるようにしているが、予めモール部と窓枠部とを一体化した状態で躯体に取り付けるようにしても構わない。なお、取付枠４の見付け面に下張り材５，７を設けるようにしているが、これらの下張り材は必ずしも設ける必要はない。
【符号の説明】
【００４１】
１  柱、２  まぐさ、３  窓台、４  取付枠、４ａ  開口部、８  断熱材、８ａ  室外側面、８ｂ  内周面、９  外壁材、９ａ  室外側面、９ｂ  内周面、１０  枠体、１１，１２，１３  枠材、１１Ａ，１２Ａ，１３Ａ  窓枠部、１１Ｂ，１２Ｂ，１３Ｂ  モール部、２０  障子、４０  上枠基板部、５０  下枠基板部、６０  縦枠基板部、６２  縦枠取付部、７０  固定用フィン部、７１  防水用フィン部、８０  防水テープ、８１  防水シート、１００  ルーバユニット
【図１】
2019002180.tif 000003
【図２】
2019002180.tif 000004
【図３】
2019002180.tif 000005
【図４】
2019002180.tif 000006
【図５】
2019002180.tif 000007
【図６】
2019002180.tif 000008
【図７】
2019002180.tif 000009
【図８】
2019002180.tif 000010
【図９】
2019002180.tif 000011
【図１０】
2019002180.tif 000012
【図１１】
2019002180.tif 000013